(57)【要約】【課題】  障壁パッドを湿り難くして、装着者の不快感を低減し、皮膚炎や褥瘡の発症を抑制できるようにする。【解決手段】  人Ｐの下腹部１，股下部２及び臀部３に亘って付帯され排泄物を吸収可能な吸収シート１０と、吸収シート１０を被覆する非透水性のカバー２０と、吸収シート１０の臀部３側に付設され背部４側に流出しようとする排泄物を遮る障壁パッド３０とを備え、吸収シート１０と、障壁パッド３０との間に水分を遮断する非透水性の遮断シート３５を設けた。【選択図】  図１
2006247199.tif 000002
【特許請求の範囲】
【請求項１】
人の下腹部，股下部及び臀部に亘って付帯され排泄物を吸収可能な吸収シートと、該吸収シートを被覆する非透水性のカバーと、上記吸収シートの臀部側に付設され背部側に流出しようとする上記排泄物を遮る障壁パッドとを備えた使い捨ておむつにおいて、
上記吸収シートと、上記障壁パッドとの間に水分を遮断する非透水性の遮断シートを設けたことを特徴とする使い捨ておむつ。
【請求項２】
上記遮断シートと吸収シートとの間に端部が上記吸収シートに連設され排泄物を吸収可能なサブパッドを設け、該サブパッドと吸収シートとの接合部に水分を遮蔽する遮蔽シートを介装したことを特徴とする請求項１記載の使い捨ておむつ。
【請求項３】
上記サブパッドを蛇行させて重畳させ、該重畳する重畳部に水分を遮蔽する遮蔽シートを介装したことを特徴とする請求項２記載の使い捨ておむつ。
【請求項４】
上記吸収シートの下腹部側に、陰部に密着可能かつ排泄物を吸収可能な尿取りパッドを付設したことを特徴とする請求項１，２または３記載の使い捨ておむつ。
【請求項５】
上記尿取りパッドの端部を上記吸収シートに連設するとともに、該尿取りパッドを蛇行させて重畳させ、該重畳する重畳部に水分を遮蔽する遮蔽性シートを介装したことを特徴とする請求項４記載の使い捨ておむつ。
【発明の詳細な説明】
【技術分野】
【０００１】
本発明は、人の下腹部，股下部及び臀部に亘って付帯され排泄物を受け止め衣服に付かないようにする使い捨ておむつに関する。
【背景技術】
【０００２】
従来、この種の使い捨ておむつとしては、例えば、特許文献１に記載されたものが知られている。
【０００３】
図７に示すように、この使い捨ておむつＤａは、人の下腹部，股下部及び臀部に亘って付帯され排泄物を吸収可能な吸収シート１０と、吸収シート１０を被覆する非透水性のカバー２０と、吸収シート１０の臀部側に付設され背部側に流出しようとする排泄物を遮る障壁パッド３０とを備えて構成されている。
【０００４】
この使い捨ておむつＤａを使用するときは、吸収シート１０側を内側にし、障壁パッド３０が人の臀部に密着するように人に付帯させる。
この使い捨ておむつＤａの装着状態において、装着した人から大小便等の排泄物があると、これを吸収シート１０が吸収する。この場合、例えば、就寝時等で装着した人が仰向けで横臥した状態にあるとき、排泄物が使い捨ておむつＤａの内部から背側に漏れ出ようとしても、障壁パッド３０が臀部と密着しているので、排泄物がこの障壁パッド３０に遮られて漏れ出にくくなっている。
【０００５】
【特許文献１】特開平１０−１９２３３８号公報
【発明の開示】
【発明が解決しようとする課題】
【０００６】
ところで、このような従来の使い捨ておむつＤａにあっては、吸収シート１０が排泄物を吸収し、更に、障壁パッド３０で背側への漏れだしを遮断するようにしてはいるが、この吸収された排泄物は障壁パッド３０側にも徐々に浸透し、更に、この排泄物で障壁パッド３０が湿ってくると、障壁パッド３０があたる臀部が排泄物で濡れ、そのため、不快感を与えることがあるという問題がある。また、排泄物で刺激されて、皮膚炎の原因にもなり易くなる。
障壁パッド３０は、吸収シート１０から突出していることもあり、これ自体が湿ってくると、臀部と障壁パッド３０との摩擦が増加し、この箇所を強く刺激することになり、皮膚炎を起こし易くなるのである。特に、装着した人が、例えば、重度の要介護者で体を動かすことが自由でなく、横臥している時間が長い場合には、長い時間障壁パッド３０が臀部に強く当接して密着するので、最悪の場合、この障壁パッド３０が密着した臀部に褥瘡を発症してしまうこともある。
【０００７】
本発明は上記の問題点に鑑みて為されたもので、障壁パッドを湿り難くして、装着者の不快感を低減し、皮膚炎や褥瘡の発症を抑制できるようにした使い捨ておむつを提供することを目的とする。
【課題を解決するための手段】
【０００８】
このような目的を達成するための本発明の使い捨ておむつは、人の下腹部，股下部及び臀部に亘って付帯され排泄物を吸収可能な吸収シートと、該吸収シートを被覆する非透水性のカバーと、上記吸収シートの臀部側に付設され背部側に流出しようとする上記排泄物を遮る障壁パッドとを備えた使い捨ておむつにおいて、上記吸収シートと、上記障壁パッドとの間に水分を遮断する非透水性の遮断シートを設けた構成としている。
【０００９】
この使い捨ておむつを使用するときは、障壁パッドを臀部に密着させて下腹部，股下部及び臀部に亘って付帯させて装着する。
この状態で、使い捨ておむつを装着した人が排泄物を排泄した場合には、排泄物は吸収シートで吸収される。吸収された排泄物は、吸収シートの全面に徐々に浸透していく。
この際、臀部側に浸透した排泄物は、障壁パッドのあるところまで浸透しても、障壁パッドは遮断シートにより吸収シートと隔てられているので、吸収シートが吸収した排泄物が障壁パッド側に浸透する事態が防止される。そのため、障壁パッドの表面は、ほとんど湿らない状態になるので、装着者に不快感を生じさせる事態が防止され、皮膚と障壁パッドとの間の摩擦の増加を抑制することができ、皮膚炎及び褥瘡の発症を抑制することができる。
【００１０】
また、例えば、装着者が、仰向けに横臥している場合、排泄物が吸収シートで吸収しきれないで使い捨ておむつの背部側に漏れ出ようとしても、障壁パッドがこれを遮る。そのため、おむつの外側に排泄物が漏れる事態を防止でき、装着者の周囲にある、例えば、蒲団などの汚損を防止することができる。
また、障壁パッドも排泄物を吸収可能にした場合には、背部側に漏れ出ようとする排泄物をある程度吸収できるので、この点でも不快感を防止することができる。また、汗の吸収も行なうことができ、この点でも不快感を防止することができる。
更に、障壁パッドが吸収シートから突出しているので、装着者の臀部への指圧効果も期待できる。
【００１１】
また、必要に応じ、上記遮断シートと吸収シートとの間に端部が上記吸収シートに連設され排泄物を吸収可能なサブパッドを設け、該サブパッドと吸収シートとの接合部に水分を遮蔽する遮蔽シートを介装している。
【００１２】
これによれば、サブパッドは遮蔽シートで吸収シートとの接合部が隔てられているので、吸収シートで吸収した排泄物が臀部側に浸透してくると、サブパッドには、吸収シートに連設した端部からこの吸収シートの排泄物が浸透してくる。
この場合、吸収シートに連設されたサブパッドの分、吸収経路が長くなっているので、サブパッドには端部から徐々に吸収シートからの排泄物が浸透していくようになり、サブパッド全体に排泄物が行き渡ることを遅延させることができ、サブパッドから遮断シートの周囲を通って障壁パッドに至る排泄物の浸透も遅延させることができる。即ち、サブパッド及び遮蔽シートが無い場合には、排泄物を吸収した吸収シートから遮断シートの周囲を通って障壁パッドに浸透し障壁パッドが湿ってしまうことがあるが、サブパッド及び遮蔽シートを設けた場合には、サブパッド全体に排泄物が行き渡る時間が遅延させられるので、サブパッドから遮断シートの周囲を通って障壁パッドに浸透する時間が遅延させられるのである。
このため、就寝中等で使い捨ておむつを長時間着用して排泄物の排泄が繰り返されるような場合にも、障壁パッドが湿るまでの時間を遅延させて、障壁パッドを湿りにくくすることができる。
また、サブパッドの分だけ吸収容量が多くなるので、例えば、就寝中等で長時間着用する場合であっても排泄物の排泄が繰り返されてもこれらに対応できるようになる。
【００１３】
更に、必要に応じ、上記サブパッドを蛇行させて重畳させ、該重畳する重畳部に水分を遮蔽する遮蔽シートを介装している。
この場合、サブパッドが重畳されているので、サブパッドが一重の場合に比較して吸収経路が更に長くなり、吸収シート全体に行き渡ろうとする排泄物の浸透を、より一層遅延させることができる。
【００１４】
次にまた、上記吸収シートの下腹部側に、陰部に密着可能かつ排泄物を吸収可能な尿取りパッドを付設した構成としている。
これにより、使い捨ておむつの装着者が小便を排泄した場合には、主に、この尿取りパッドがこの小便を吸収していく。この際、小便が尿取りパッドで吸収されるので、小便を吸収シートの臀部側に回り込みにくくすることができる。そのため、吸収シートの臀部側への排泄物の浸透を遅延させることができ、遮断シートの周囲を通って障壁パッドに至る排泄物の浸透を遅延させることができる。
【００１５】
また、尿取りパッドの分、排泄物の吸収容量が増えるので、例えば、就寝中等で長時間着用する場合であっても排泄物の排泄が繰り返されてもこれらに対応できるようになる。
また、この際、装着者が女性である場合には、特にその効果を発揮できる。即ち、この尿取りパッドは、吸収シートに付設されて吸収シートから突出することになるので、使い捨ておむつの装着者が女性であれば、陰部の外形に合わせて密着し、小便のほとんどが尿取りパッドに吸収されるのである。
【００１６】
また、必要に応じ、上記尿取りパッドの端部を上記吸収シートに連設するとともに、該尿取りパッドを蛇行させて重畳させ、該重畳する重畳部に水分を遮蔽する遮蔽性シートを介装している。
この場合、小便は、尿取りパッドの頂部側から基端部側に向かって蛇行して浸透していく。そのため、尿取りパッドの吸収経路を長くすることができ、蛇行させない場合に比較して、吸収シートに到達するまでの時間を遅延させることができ、吸収シートの臀部側への排泄物の浸透を遅延させることができ、遮断シートの周囲を通って障壁パッドに至る排泄物の浸透を遅延させることができる。
【発明の効果】
【００１７】
本発明の使い捨ておむつによれば、吸収シートと、障壁パッドとの間に水分を遮断する非透水性の遮断シートを設けたので、吸収シートに吸収された排泄物が障壁パッドのあるところまで浸透してきても、吸収シートが吸収した排泄物が障壁パッド側に浸透する事態が防止され、障壁パッドの表面が、ほとんど湿らない状態になり、装着者に不快感を生じさせる事態が防止され、皮膚と障壁パッドとの間の摩擦の増加を抑制することができ、皮膚炎の発症を抑制することができる。
【発明を実施するための最良の形態】
【００１８】
以下、添付図面に基づいて、本発明の実施の形態に係る使い捨ておむつについて詳細に説明する。
【００１９】
図１乃至図３には、本発明の第一の実施の形態に係る使い捨ておむつＤ１を示している。この使い捨ておむつＤ１は、人Ｐの下腹部１，股下部２及び臀部３に亘って付帯され排泄物を吸収可能な吸収シート１０と、吸収シート１０を被覆する非透水性のカバー２０と、吸収シート１０の臀部３側に付設され背部４側に流出しようとする排泄物を遮る障壁パッド３０とを備えた構成としている。
【００２０】
吸収シート１０は、内部に、排泄物を吸収する吸収部材１１と、この吸収部材１１の表面を被覆する不織布１２とを備えて構成されている。
吸収部材１１は、綿状パルプで構成されるとともに、この綿状パルプには、高分子吸収剤が含ませられている。
そしてまた、吸収部材１１には、消臭剤が入れられている。
【００２１】
不織布１２は、例えば、ポリエステルやポリプロピレン等の繊維で形成され、水を透過させるが吸収部材１１が水を吸収するとそれ自体では水を保持しないようになる。
カバー２０は、例えば、ポリエチレンフィルム等で形成されている。
障壁パッド３０は、吸収シート１０の吸収部材１１と不織布１２との間に介装されて吸収シート１０に付設されている。この障壁パッド３０は、吸収シート１０の吸収部材１１と同じ吸収部材で構成されており、排泄物の吸収が可能になっている。
【００２２】
また、吸収シート１０と、障壁パッド３０との間に水分を遮断する非透水性の遮断シート３５を設けた構成としている。遮断シート３５は、例えば、ポリエチレンフィルム等で形成されている。
また、吸収シート１０の下腹部１側には、陰部５に密着可能な尿取りパッド４０が付設されている。この尿取りパッド４０は、例えば、吸収シート１０の吸収部材１１に一体に形成されている。
【００２３】
吸収シート１０及びカバー２０の両側縁部には、股下部２に密着可能なようにギャザー２１が設けられている。
更に、カバー２０の表面には、装着時に、使い捨ておむつＤ１の外側を覆うパンツや別のおむつ等の下着８に貼付できるように粘着材２２が設けられている。粘着材２２は、使用前において、粘着材２２の粘着力を保つことができるように保護シート（図示せず）が被せられている。保護シートは、使い捨ておむつＤ１の使用時に適時に剥がされる。
【００２４】
この使い捨ておむつＤ１を装着する際には、図１に示すように、例えば、保護シートを剥がして粘着材２２を露出させ、パンツや別のおむつ等の下着８の下腹部１，股下部２及び臀部３を覆う箇所の内側に、障壁パッド３０が臀部３に、尿取りパッド４０が陰部５に当接するようにカバー２０を下着８側に向けてして使い捨ておむつＤ１を取り付ける。そして、この使い捨ておむつＤ１を取り付けた下着８を人Ｐに装着する。装着状態では、尿取りパッド４０が陰部５に密着するとともに、障壁パッド３０は臀部３に密着する。この際、使い捨ておむつＤ１は、粘着材２２で、下着８に固定されるので下着８に対してずれにくくなる。
【００２５】
この状態で、使い捨ておむつＤ１を装着した人Ｐが排泄物を排泄すると、排泄物が小便の場合には、主に、尿取りパッド４０がこの小便を吸収していく。この際、小便が尿取りパッド４０で吸収されるので、吸収シート１０の臀部３側に回り込みにくくなる。
また、この際、装着した人Ｐが女性である場合には、特にその効果を発揮できる。即ち、この尿取りパッド４０は、吸収シート１０に付設されて吸収シート１０から突出することになるので、使い捨ておむつＤ１の装着した人Ｐが女性であれば、陰部５の外形に合わせて密着し、小便のほとんどが尿取りパッド４０に吸収されるのである。
また、尿取りパッド４０の分、排泄物の吸収容量が増えるので、例えば、就寝中等で長時間着用する場合であっても排泄物の排泄が繰り返されてもこれらを吸収できるようになる。
【００２６】
また、大便を排泄した場合には、主に吸収シート１０で吸収される。吸収シート１０は、小便のほとんどが尿取りパッド４０で吸収されているのでその吸収性能を十分に発揮できる。そのため、吸収シート１０は大便の水分を確実に吸収できるようになる。
【００２７】
このようにして、尿取りパッド４０及び吸収シート１０が排泄物の排泄を繰り返す等し、徐々に吸収シート１０全面に亘って吸収した水分が浸透していく。
この際、遮断シート３５により障壁パッド３０は吸収シート１０と隔てられているので、吸収シート１０が吸収した排泄物が障壁パッド３０側に浸透しない。そのため、障壁パッド３０の表面は、ほとんど湿らない状態になるので、人Ｐに不快感を生じにくくすることができる。また、皮膚と障壁パッド３０との間の摩擦の増加を抑制することができ、皮膚炎を発症し難くできる。
また、尿取りパッド４０を設けて吸収シート１０の臀部３側に小便を回り込みにくくしたので、吸収シート１０の臀部３側への排泄物の浸透を遅延させることができ、遮断シート３５の周囲を通って障壁パッド３０に至ろうとする排泄物の浸透を遅延させることができ、長時間の装着にも対応できる。
【００２８】
また、例えば、装着した人Ｐが、仰向けに横臥している場合には、万が一、排泄物が尿取りパッド４０及び吸収シート１０で吸収しきれないで使い捨ておむつＤ１の背部４側に漏れ出ようとしても、障壁パッド３０がこれを遮る。そのため、おむつＤ１の外側に排泄物が漏れる事態を防止でき、例えば、蒲団などの汚損を防止することができる。
【００２９】
また、仰向けで横臥した状態では、障壁パッド３０が吸収シート１０から突出しているので、装着した人Ｐの臀部３への指圧効果も期待できる。
更に、装着した人Ｐが発汗しても、障壁パッド３０でこれを吸収するので、障壁パッド３０の表面をほとんど湿らない状態にすることができ、装着した人Ｐに不快感を生じにくくできるようになり、また、皮膚と障壁パッド３０との間の摩擦の増加を抑制でき、皮膚炎及び褥瘡の発症も抑制することができる。
排泄物の排泄後は、汚れた使い捨ておむつＤ１を取り外し、新たな使い捨ておむつＤ１を人Ｐに装着する。
【００３０】
次に、図４には、本発明の第二の実施の形態に係る使い捨ておむつＤ２を示している。
この使い捨ておむつＤ２は、第一の実施の形態の使い捨ておむつＤ１に対して、遮断シート３５と吸収シート１０との間に端部が吸収シート１０に連設され排泄物を吸収可能なサブパッド１５を設け、サブパッド１５と吸収シート１０との接合部１６に水分を遮蔽する遮蔽シート１７を介装した点で異なる。
サブパッド１５は、吸収シート１０と同様の吸収部材１１で構成されている。また、このサブパッド１５は、その背部４側の端部で吸収シート１０に連設されている。
遮蔽シート１７は、例えば、ポリエチレンフィルム等で形成されている。
また、実施の形態では、遮蔽シート１７は、サブパッド１７の股下部２側の端面も被覆している。
その他の構成は上記のものと同様である。
【００３１】
この使い捨ておむつＤ２を装着する場合には、上記の場合と同様にして、下着８に取り付け、この下着８を人Ｐに履かせて装着する。
そして、人Ｐが排泄物を排泄すると、上記と同様に、尿取りパッド４０及び吸収シート１０でこの排泄物を吸収していく。そして、背部４側に漏れ出ようとする排泄物があると、障壁パッド３０だけでなくサブパッド１５においてもこの排泄物が遮られる。
また、サブパッド１５の分だけ吸収容量が多くなるので、例えば、就寝中等で長時間着用する場合であっても排泄物の排泄が繰り返されてもこれらに対応できるようになる。
【００３２】
更に、サブパッド１５は遮蔽シート１７で吸収シート１０と接合部１６が隔てられているので、吸収シート１０で吸収した排泄物が臀部３側に浸透してくると、サブパッド１５には、吸収シート１０に連設した端部から吸収シート１０の排泄物が浸透してくる。これにより、遮蔽シート１７が無くサブパッド１５の全面が吸収シート１０に連設された場合に比較して、サブパッド１５には端部から徐々に吸収シート１０からの排泄物が浸透するので、サブパッド１５全体に排泄物が行き渡ることを遅延させることができる。このため、吸収シート１０に連設されたサブパッド１５の分、吸収経路が長くなっているので、サブパッド１５には端部から徐々に吸収シートからの排泄物が浸透していくようになり、サブパッド１５全体に排泄物が行き渡ることを遅延させることができる。そのため、サブパッド１５から遮断シート３５の周囲を通って障壁パッド３０に至る排泄物の浸透も遅延させることができる。
即ち、サブパッド１５及び遮蔽シート１７が無い場合には、遮断シート３５があっても排泄物を吸収した吸収シート１０から遮断シート１７の周囲を通って障壁パッド３０に浸透し障壁パッド３５が湿ってしまうことがあるが、サブパッド１５及び遮蔽シート１７を設けた場合には、障壁パッド３０が遮断シート３５とサブパッド１５を介して吸収シート１０に設けられてあり、しかもサブパッド１５が遮蔽シート１７でサブパッド１５全体に排泄物が行き渡ることを遅延させてあるので、サブパッド１５から遮断シート１７の周囲を通って障壁パッド３０に浸透する時間が遅延させられるのである。
このため、就寝中等で使い捨ておむつを長時間着用する場合にも、障壁パッド３５が湿るまでの時間を遅延させることができる。
その他の作用及び効果は上記のものと同様である。
【００３３】
次に、図５には、第三の実施の形態に係る使い捨ておむつＤ３を示している。
この使い捨ておむつＤ３は、上記の第二の実施の形態に係る使い捨ておむつＤ２と異なり、サブパッド１５との接合部のある臀部３側の吸収シート１０の厚さが、吸収シート１０の一般部の厚さよりも大きく形成されている。
また、尿取りパッド４０の端部を吸収シート１０に連設するとともに、尿取りパッド４０を蛇行させて重畳させ、重畳する重畳部４４に水分を遮蔽する遮蔽性シート４５を介装している。
遮蔽性シート４５は、ポリエチレンフィルム等で形成されている。
その他の構成は第二の実施の形態のものと同様である。
【００３４】
この使い捨ておむつＤ３を装着する場合には、上記の場合と同様にして、下着８に取り付け、この下着８を人Ｐに履かせて装着する。
そして、人Ｐが小便を排泄すると、尿取りパッド４０でこれを吸収していく。
この際、尿取りパッド４０は、蛇行させて重畳させられ重畳する重畳部に水分を遮蔽する遮蔽性シート４５を介装しているので、小便は、尿取りパッド４０の頂部側から基端部側に向かって蛇行して浸透していく。即ち、尿取りパッド４０の小便の吸収経路が蛇行して長くなり、蛇行させない場合に比較して、吸収シート１０の臀部３側への排泄物の浸透を遅延させることができる。そのため、遮断シート３５の周囲を通って障壁パッド１０に至る排泄物の浸透を遅延させることができ、長時間の装着にも対応できる
その他の作用，効果は、上記第二の実施の形態のものと同様である。
【００３５】
次にまた、図６に示すように、第四の実施の形態に係る使い捨ておむつＤ４について説明する。
この使い捨ておむつＤ４は、第三の実施の形態の使い捨ておむつＤ３と異なり、サブパッド１５を蛇行させて重畳させ、重畳する重畳部１８に水分を遮蔽する遮蔽シート１７を介装している。このサブパッド１５の股下部２側の端面は、上記の実施の形態とどうように、遮蔽シート１７で被覆されている。
その他の構成は第三の実施の形態の使い捨ておむつＤ３と同様である。
【００３６】
この場合、サブパッド１５が重畳されているので、サブパッド１５が一重の場合に比較して吸収経路が更に長くなり、吸収シート１５全体に行き渡ろうとする排泄物の浸透を、より一層遅延させることができる。
その他の作用、効果は上記第三の実施の形態のものと同様である。
【図面の簡単な説明】
【００３７】
【図１】本発明の第一の実施の形態に係る使い捨ておむつを、人に装着した状態で示す図である。
【図２】本発明の第一の実施の形態に係る使い捨ておむつを示す斜視図である。
【図３】本発明の第一の実施の形態に係る使い捨ておむつを示す断面図である。
【図４】本発明の第二の実施の形態に係る使い捨ておむつを示す断面図である。
【図５】本発明の第三の実施の形態に係る使い捨ておむつを示す断面図である。
【図６】本発明の第四の実施の形態に係る使い捨ておむつを示す断面図である。
【図７】従来の使い捨ておむつの示す図である。
【符号の説明】
【００３８】
Ｄ１，Ｄ２，Ｄ３，Ｄ４  使い捨ておむつ
Ｐ  人
１  下腹部
２  股下部
３  臀部
４  背部
５  陰部
１０  吸収シート
１１  吸収部材
１２  不織布
１５  サブパッド
１６  接合部
１７  遮蔽シート
１８  重畳部
２０  カバー
２１  ギャザー
２２  粘着材
３０  障壁パッド
３５  遮断シート
４０  尿取りパッド
４５  遮蔽性シート
４６  重畳部
【図１】
2006247199.tif 000003
【図２】
2006247199.tif 000004
【図３】
2006247199.tif 000005
【図４】
2006247199.tif 000006
【図５】
2006247199.tif 000007
【図６】
2006247199.tif 000008
【図７】
2006247199.tif 000009